(57)【特許請求の範囲】
【請求項１】
壁部に着脱可能な後付け載置装置であって、
収納時に前記壁部に対して平行となるように倒伏し、使用時に前記壁部に対して垂直となるように起立して物体を載置可能な表面部を有する載置板部と、
前記収納時に折り畳まれ前記使用時に展開されて前記載置板部の裏面部とともに三角形状を形成し、前記使用時に前記載置板部の壁部側の端部から所定の間隔をあけて前記壁部に接触可能な２つの接触部を有する脚部と、
前記使用時に前記脚部が前記三角形状を形成するように前記脚部を支持する支持部と、
前記載置板部に所定の間隔をあけて設けられ、前記壁部に対して引掛け可能な２つの引掛け部と、
を備え、
前記脚部は、
前記２つの接触部が両端部に設けられ、略Ｕ字形状を有する第１脚部と、
前記第１脚部の各端部と前記載置板部の裏面部との間に夫々跨って設けられるチェーン状の鎖部を有する２つの第２脚部と、
を有することを特徴とする後付け載置装置。
【請求項２】
請求項１に記載の後付け載置装置において、
前記壁部の所定の高さ位置に所定の間隔をあけて装着可能な２つのフック部と、
前記２つのフック部にわたって延伸し、前記２つのフック部に係止可能な棒部と、
を備え、
前記２つの引掛け部は、前記棒部に引掛けられることを特徴とする後付け載置装置。
【請求項３】
請求項１または請求項２に記載の後付け載置装置において、
前記第２脚部は、前記鎖部の長さを調整するための長さ調整部を有することを特徴とする後付け載置装置。
【請求項４】
請求項１から請求項３のいずれか１項に記載の後付け載置装置において、
前記支持部は、前記載置板部の短手方向に沿って移動可能な位置調整部を有することを特徴とする後付け載置装置。
【発明の詳細な説明】
【技術分野】
【０００１】
本発明は、後付け載置装置に関する。
【背景技術】
【０００２】
従来、ワンルームマンションなどの小規模な居住空間において、台所もコンパクトに設計されている。本発明に関連する技術として、例えば、カウンタ、このカウンタを支持する複数のキャビネット、及びカウンタの下方に配置された補助キャビネットを有するシステムキッチン本体と、天板、及びこの天板から下方に延びる複数の脚部を有する補助テーブルワゴンとを備え、補助キャビネットの左右側方には、少なくとも前方が開口するとともに補助キャビネットの側面に沿う一対の垂直空間が確保され、補助キャビネットの上方には、一対の垂直空間の上端を連通するとともに少なくとも前方が開口した水平空間が確保され、天板が水平空間に収納されるとともに複数の脚部が一対の垂直空間に収納されることで、補助テーブルワゴンがシステムキッチン本体に出し入れ自在に収納されることを特徴とするシステムキッチンが開示されている。
【先行技術文献】
【特許文献】
【０００３】
【特許文献１】特開２００６−３２０５０４号公報
【発明の概要】
【発明が解決しようとする課題】
【０００４】
ワンルームマンションなどの台所は、上記のようにコンパクトに設計されているため、本格的に料理をしようと思うと、まな板や野菜などの食材などを配置するためのスペースが小さく、作業しづらいという課題がある。
【０００５】
本発明の目的は、配置スペースを増やすことを可能とする後付け載置装置を提供することである。
【課題を解決するための手段】
【０００６】
本発明に係る後付け載置装置は、壁部に着脱可能な後付け載置装置であって、収納時に前記壁部に対して平行となるように倒伏し、使用時に前記壁部に対して垂直となるように起立して物体を載置可能な表面部を有する載置板部と、前記収納時に折り畳まれ前記使用時に展開されて前記載置板部の裏面部とともに三角形状を形成し、前記使用時に前記載置板部の壁部側の端部から所定の間隔をあけて前記壁部に接触可能な２つの接触部を有する脚部と、前記使用時に前記脚部が前記三角形状を形成するように前記脚部を支持する支持部と、前記載置板部に所定の間隔をあけて設けられ、前記壁部に対して引掛け可能な２つの引掛け部と、を備え、前記脚部は、前記２つの接触部が両端部に設けられ、略Ｕ字形状を有する第１脚部と、前記第１脚部の各端部と前記載置板部の裏面部との間に夫々跨って設けられるチェーン状の鎖部を有する２つの第２脚部と、を有することを特徴とする。
【０００７】
また、本発明に係る後付け載置装置において、前記壁部の所定の高さ位置に所定の間隔をあけて装着可能な２つのフック部と、前記２つのフック部にわたって延伸し、前記２つのフック部に係止可能な棒部と、を備え、前記２つの引掛け部は、前記棒部に引掛けられることが好ましい。
【０００８】
また、本発明に係る後付け載置装置において、前記第２脚部は、前記鎖部の長さを調整するための長さ調整部を有することが好ましい。
【０００９】
また、本発明に係る後付け載置装置において、前記支持部は、前記載置板部の短手方向に沿って移動可能な位置調整部を有することが好ましい。
【発明の効果】
【００１０】
本発明によれば、配置スペースを増やすことを可能とする後付け載置装置を提供することである。
【図面の簡単な説明】
【００１１】
【図１】本発明に係る実施形態の第１実施例である後付け載置装置を台所に装着して使用している様子を示す図である。
【図２】本発明に係る実施形態において、後付け載置装置を収納している様子を示す図である。
【図３】本発明に係る実施形態において、収納時に折り畳まれた後付け載置装置の側面図である。
【図４】本発明に係る実施形態において、使用時に展開された後付け載置装置を底面側の斜視図である。
【図５】本発明に係る実施形態の第２実施例である後付け載置装置の斜視図である。
【図６】本発明に係る実施形態の第２実施例である後付け載置装置の斜視図である。
【図７】本発明に係る実施形態の第２実施例である後付け載置装置を台所の壁部に装着して使用している様子を示す図である。
【図８】本発明に係る実施形態の第２実施例である後付け載置装置の斜視図である。
【図９】本発明に係る実施形態の第２実施例である後付け載置装置を壁部に装着して使用している様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本発明に係る実施形態の第１実施例である後付け載置装置１０を台所１に装着して使用している様子を示す図である。図２は、後付け載置装置１０を収納している様子を示す図である。
【００１４】
図３は、収納時に折り畳まれた後付け載置装置１０の側面図である。図４は、使用時に展開された後付け載置装置１０を底面側の斜視図である。
【００１５】
後付け載置装置１０は、載置板部１２と、脚部１４と、支持部材１６と、２つのフック部２２と、棒部２０と、２つの引掛け部２４とを備えている。後付け載置装置１０は、台所１のシンクの前側の壁部５に後付けで装着可能な載置台である。
【００１６】
載置板部１２は、収納時には図２に示されるように壁部５に対して平行となるように倒伏し、使用時には図１に示されるように壁部５に対して垂直となるように起立して物体を載置可能な表面部１２ａを有する。
【００１７】
載置板部１２は、適度な強度を有する材質、例えば、木材、プラスチック樹脂、金属などで構成することが好ましい。載置板部１２は、矩形形状を有しており、縦方向（短手方向）の長さを、例えば、１５ｃｍ〜２０ｃｍに設定し、横方向（長手方向）の長さを、例えば、３０ｃｍ〜５０ｃｍに設定し、厚みを、例えば１ｃｍ〜３ｃｍに設定することができる。もちろん、これらのサイズは適宜変更することができる。
【００１８】
脚部１４は、収納時に折り畳まれ、使用時に展開されて三角形状を形成する。脚部１４は、２つの第１脚部１４ａと、２つの第２脚部１４ｂと、２つの第３脚部１４ｃとを備えて構成されている。脚部１４は、適度な強度を有する材質、例えば、金属を用いて構成することが出来る。
【００１９】
２つの第１脚部１４ａは、載置板部１２の裏面部１２ｂにおいて、載置板部１２の長手方向の両端部に短手方向に沿って設けられる板部材である。２つの第１脚部１４ａの長さは、例えば、１２ｃｍ〜１７ｃｍに設定することが出来る。２つの第１脚部１４ａは、２つの第３脚部１４ｃとは異なり、折り曲げできずに固定されたままである。
【００２０】
２つの第１脚部１４ａは、載置板部１２の横方向（長手方向）の長さが、例えば、３０ｃｍ〜５０ｃｍの場合には、例えば、互いの距離が２６ｃｍ〜４６ｃｍ（両端部からの距離がそれぞれ、例えば、２ｃｍとなるように）となるように状態に設定することができる。
【００２１】
２つの第２脚部１４ｂは、２つの第１脚部１４ａの壁部５側の端部と支持部材１６とにわたって架設される板部材である。２つの第２脚部１４ｂの長さは、例えば、１２ｃｍ〜１７ｃｍに設定することが出来る。２つの第２脚部１４ｂは、２つの第３脚部１４ｃとは異なり、折り曲げできずに固定されたままである。
【００２２】
２つの第３脚部１４ｂは、２つの第１脚部１４ａの壁部５側と反対側の端部と支持部材１６とにわたって架設され、折り畳み可能な板部材である。２つの第３脚部１４ｃの長さは、約１７ｃｍ〜約２４ｃｍに設定することが出来る。
【００２３】
各第３脚部１４ｃは、各中央部において、２つの部材に分割されており、この分割されて連結ピン１５を軸として回動し、図３に示されるように、折り曲げ状態にすることが出来る。
【００２４】
支持部材１６は、使用時の載置板部１２の壁部５側の端部から所定の間隔をあけて壁部５に接触可能な部材である。支持部材１６は、所定の長さを有する木製角材である。支持部材１６は、載置板部１２の横方向の長さと略同一の長さを有する。
【００２５】
２つのフック部２２は、壁部５の所定の高さ位置に所定の間隔をあけて装着可能である係止部材である。２つのフック部２２は、適度な強度を有する材質、例えば、金属などで構成することが出来る。２つのフック部２２は、棒部２０の下部を支持可能なＪ字状の形状を有している。
【００２６】
２つのフック部２２は、図１，２に示されるように、載置板部１２の長手方向の両端部から所定の距離だけ離れた外側の位置に棒部２０を係止するようにフックが設けられ、フックの先端部が天井部を向くように設置されている。
【００２７】
棒部２０は、２つのフック部２２にわたって延伸し、２つのフック部２２に係止可能な突っ張り棒部材である。棒部２０は、適度な強度を有する材質、例えば、鋼管を用いて構成することができる。棒部２０は、２つのフック部２２の間隔を広げた際にも係止可能なように伸縮可能な入れ子構造にすることが好ましい。
【００２８】
２つの引掛け部２４は、載置板部１２に所定の間隔をあけて設けられ、棒部２０に引掛け可能な引掛け部材である。２つの引掛け部２４は、載置板部１２の長手方向の両端部に設けられる。２つの引掛け部２４は、適度な強度を有する材質、例えば、金属などで構成することが出来る。
【００２９】
２つの引掛け部２４は、棒部２０の上部に引掛けて支持可能な略Ｃ字状の形状を有している。２つの引掛け部２４は、棒部２０の上部に引掛けられつつ、棒部２０を挟持する機能を有している。
【００３０】
続いて、上記構成の後付け載置装置１０の作用について説明する。一般的に、ワンルームマンションなどの台所はコンパクトに設計されているため、本格的に料理をしようと思うと、まな板や野菜などの食材などを配置するためのスペースが小さく作業しづらいなどという課題がある。
【００３１】
このようなワンルームマンションの台所等において、後付け載置装置１０を設置すると顕著な効果を奏するので、以下、具体的に説明する。最初に、図１，２に示されるように、２つのフック部２２を台所の壁部５に装着する。そして、２つのフック部２２に棒部２０を係止させる。
【００３２】
そして、図２に示されるように、後付け載置装置１０の２つの引掛け部２４を２つのフック部２２に係止された棒部２０に引掛ける。後付け載置装置１０の収納時は、図２に示されるように、載置板部２が壁部５に対して平行に収納されているため、台所１を使用する際の邪魔にならない。
【００３３】
台所１で、本格的に料理をするために野菜などの食材を置く場所を確保するために、図１に示されるように、後付け載置装置１０の載置板部１２を壁部５に対して垂直となるように起立させると、載置板部１２の上に食材などを置くスペースを確保することが出来る。
【００３４】
このように、後付け載置装置１０によれば、ワンルームマンションの台所１などのように小さいスペースの空間領域であっても、必要に応じて、食材などの物を配置するための領域を確保できるため便利である。また、物を配置する必要がなくなれば、折り畳んで収納することが出来るため、台所１で作業する際の邪魔にもならない。
【００３５】
なお、上記では、後付け載置装置１０は、台所１に対して設置するものとして説明したが、台所１以外の場所に配置してもよく、必要に応じて、物体を載置することが必要となる場所に適宜設置することが好ましい。
【００３６】
図５は、本発明に係る実施形態の第２実施例である後付け載置装置３０の斜視図である。図６は、後付け載置装置３０の斜視図である。図７は、後付け載置装置３０を台所１の壁部５に装着して使用している様子を示す図である。
【００３７】
後付け載置装置３０は、載置板部３２と、脚部３４と、支持部３６と、ストッパー部３７と、ストッパー部３８と、２つのフック部４２と、棒部４０と、２つの引掛け部４４と、回避部４６とを備えている。後付け載置装置３０は、後付け載置装置１０と同様に、台所１のシンクの前側の壁部５に後付けで装着可能な載置台である。
【００３８】
載置板部３２は、収納時には壁部５に対して平行となるように倒伏し、使用時には図７（ａ）に示されるように、壁部５に対して垂直となるように起立して物体を載置可能な表面部３２ａを有する。
【００３９】
載置板部３２は、適度な強度を有する材質、例えば、木材、プラスチック樹脂、金属などで構成することが好ましい。載置板部３２は、矩形形状を有しており、縦方向（短手方向）の長さを、後付け載置装置１０の載置板部１２と同様に設定することができるが、もちろん、これらのサイズは適宜変更することができる。
【００４０】
脚部３４は、収納時に折り畳まれ、使用時に展開されて載置板部３２の裏面部３２ｂとともに三角形状を形成する。脚部３４は、２つの接触部３５を備えている。
【００４１】
２つの接触部３５は、使用時に載置板部３２の台所１の壁部５側の端部から所定の間隔をあけて壁部５に接触可能あり、ゴムなどの柔軟性材質で構成された柔軟性部材である。
【００４２】
脚部３４は、第１脚部３４ａと、２つの第２脚部３４ｂとを備えている。
【００４３】
第１脚部３４ａは、図５，６に示されるように幅が広く、ステンレスなどの適度な強度を有する材質で形成された略Ｕ字部分（図５では、Ｕを逆さにした形状）と、略Ｕ字部分の両端部に接触部３５が夫々装着されている。
【００４４】
２つの第２脚部３４ｂは、第１脚部３４ａの各端部と載置板部３２の裏面部３２ｂとの間に夫々跨って設けられるチェーン状の鎖部を有する。鎖部は、複数のリング３５ａが相互に連結されており、端部のリング３５ａにおいてナスカン３５ｂと接続されている。
【００４５】
第２脚部３４ｂは、鎖部の長さを調整するための長さ調整機構を有する。具体的には、  ナスカン３５ｂが接続する対象のリング３５ａの位置を変更することで、鎖部の長さを長くしたり、短くしたりすることが出来る。
【００４６】
支持部３６は、展開時に脚部３４が三角形状を形成するように第１脚部３４ａの中央部を支持する。支持部３６は、第１脚部３４ａを支持するように載置板部３２の裏面部３２ｂに起立する凹部３６ａと、位置調整部３６ｂとを備えている。
【００４７】
位置調整部３６ｂは、載置板部３２の短手方向に沿って移動であって中央部に形成されたスリットを有する板部と、板部の移動を規制するように載置板部３２の裏面部３２ｂの孔部に螺合する螺合部とを備えている。
【００４８】
ストッパー部３８は、収納時に脚部３４が倒伏する際に図５に示されるように、第１脚部３４ａの中央部が載置板部３２からはみ出さないように規制する機能を有している。ストッパー部３８は、支持部３６の凹部３６ａと同様に第１脚部３４ａを支持するような凹部を有している。
【００４９】
２つのフック部４２は、壁部５の所定の高さ位置に所定の間隔をあけて装着可能である係止部材である。図７（ｂ）（ｃ）には、壁部５に装着されるフック部４２の側面図が示されている。
【００５０】
フック部４２は、図７（ｂ）（ｃ）に示されるように、溝状の凹部４２ａと、凹部４２ａの一方側に溝内に向かって形成される略Ｊ字状の支持部材４２ｂと、凹部４２ａの他方側から凹部４２ａの外側に向かって設けられ壁部５に接着するように湾曲可能な第１湾曲部４２ｃと、略Ｊ字状の支持部材４２ｂに支持される棒部４０を包むように湾曲可能な第２湾曲部４２ｄとを備えている。
【００５１】
フック部４２のうち、凹部４２ａ及び支持部材４２ｂは適度な強度を有する材質、例えば、ステンレスなどで構成することができ、第１湾曲部４２ｃと第２湾曲部４２ｄは適度な引張強度を有しつつ湾曲可能な材質、例えば、アルミなどで構成することが出来る。
【００５２】
棒部４０は、２つのフック部４２にわたって延伸し、２つのフック部４２に係止可能な突っ張り棒部材である。棒部４０は、適度な強度を有する材質、例えば、鋼管を用いて構成することができる。棒部４０は、２つのフック部４２の間隔を広げた際にも係止可能なように伸縮可能な入れ子構造にすることが好ましい。
【００５３】
２つの引掛け部４４は、載置板部３２に所定の間隔をあけて設けられ、棒部４０に引掛け可能な引掛け部材である。２つの引掛け部４４は、載置板部３２の長手方向の両端部に設けられる。２つの引掛け部４４は、適度な強度を有する材質、例えば、金属などで構成することが出来る。
【００５４】
２つの引掛け部４４は、棒部４０に引掛けて支持可能な略Ｃ字状の形状を有している。２つの引掛け部４４は、棒部４０に引掛けられつつ、棒部４０を挟持する機能を有している。
【００５５】
２つの回避部４６は、図５，６に示されるように、載置板部３２の裏面部３２ｂにおいて、第１脚部３２ａよりも外側に配置される部材である。２つの回避部４６は、夫々、外側から内側に向かって上り坂の傾斜を有する三角柱形状を有している。
【００５６】
この傾斜は、載置板部３２を棒部４０の軸方向に移動させたときに、例えば、壁部５に設けられた突起（例えば、取っ手）が存在した場合であっても、取っ手を案内することで第１脚部３２ａに引っ掛かることを抑制する機能を有する。なお、２つの回避部４６を脚部３４を挟んで設けられるストッパー部３７は、それぞれ、内側から外側に向けて上り坂の傾斜を有する三角柱形状を有し、棒部４０が外れないように規制する。
【００５７】
続いて、上記構成の後付け載置装置３０の作用について説明する。まな板や野菜などの食材などを配置するためのスペースが小さく作業しづらいワンルームマンションの台所等において、後付け載置装置３０を設置すると顕著な効果を奏するので、以下、具体的に説明する。最初に、２つのフック部４２を台所の壁部５に装着する。そして、２つのフック部４２に棒部４０を係止させる。
【００５８】
そして、図７に示されるように、後付け載置装置３０の２つの引掛け部２４を棒部４０に引掛ける。台所１で、本格的に料理をするために野菜などの食材を置く場所を確保するために、図１に示されるように、後付け載置装置３０の載置板部３２を壁部５に対して垂直となるように起立させると、載置板部３２の上に食材などを置くスペースを確保することが出来る。また、物を配置する必要がなくなれば、折り畳んで収納することが出来るため、台所１で作業する際の邪魔にもならない。
【００５９】
また、後付け載置装置３０によれば、棒部４０は図７（ｃ）に示されるように、湾曲可能な第２湾曲部４２ｄによって包まれているため、棒部４０が上下に揺動することを防止することができる。さらに、凹部４２ａと第２湾曲部４２ｄに包まれた棒部４０との間には十分な空間領域があるため、後付け載置装置３０の載置板部３２を棒部４０の軸方向に移動させる場合であっても引掛け部４４を超えることができる。
【００６０】
図８は、後付け載置装置３０の変形例である後付け載置装置５０の斜視図である。図９は、後付け載置装置５０を壁部５に装着して使用している様子を示す図である。
【００６１】
後付け載置装置５０は、載置板部５２と、脚部５４と、凹部５６ａと位置調整部５６ｂと有する支持部５６と、ストッパー部５７と、ストッパー部５８と、２つのフック部６２と、２つの引掛け部６０とを備えている。
【００６２】
後付け載置装置５０は、後付け載置装置３０と同様に壁部５などに後付けで装着可能な載置台であり、後付け載置装置３０と構成要素が共通するため詳細な説明は使用省略し、以下では、相違点を中心に説明する。
【００６３】
２つのフック部６２は、壁部５の所定の高さ位置に所定の間隔をあけて装着可能である係止部材である。図９（ｂ）には、壁部５に装着されるフック部６２の側面図が示されている。
【００６４】
フック部６２は、図９（ｂ）に示されるように、溝状の凹部６２ａと、凹部６２ａの一方側に溝内に向かって形成される略Ｕ字状の支持部材６２ｂと、凹部６２ａの他方側の端部に設けられる凸部６２ｃとを備えている。
【００６５】
フック部６２のうち、凹部６２ａ及び支持部材６２ｂは適度な強度を有する材質、例えば、ステンレスなどで構成することができ、凸部６２ｃは例えば木材などで構成することが出来る。
【００６６】
２つの引掛け部６０は、載置板部５２に所定の間隔をあけて設けられ、フック部６２に引掛け可能な引掛け部材である。２つの引掛け部６０は、載置板部５２の長手方向の両端部に設けられる。
【００６７】
各引掛け部６０は、所定の間隔を置いて載置板部５２の裏面部に設けられる２つのＵ字部６０ａと、２つのＵ字部６０ａの間に挿通されたＩ字部６０ｂと備えて構成されている。Ｉ字部６０ｂの端部はＵ字部６０ａによって閉じられた空間よりも大きいが、両端部の間はＵ字部６０ａの空間よりも小さいため、Ｉ字部６０ｂが上下することが可能である。
【００６８】
２つの引掛け部６０のＩ字部６０ｂは、フック部６２に引掛けられる。これにより、載置板部５２を壁部５に対して倒伏したり起立させたりすることができる。図９（ａ）に示されるように、脚部５４と載置板部５２とで三角形状を構成するように脚部５４の中央部を支持部５６によって支持することで載置板部５２を起立させることができる。この状態にすることで載置板部５２の表面に物を載せることができる。こののように、後付け載置装置５０によっても後付け載置装置３０と同様の効果を奏することができる。
【符号の説明】
【００６９】
１  台所、２  水道、３  シンク、５  壁部、１０  後付け載置装置、１２  載置板部、１２ａ表面部、１２ｂ  裏面部、１４  脚部、１４ａ  第１脚部、１４ｂ  第２脚部、１４ｃ  第３脚部、１５  連結ピン、１６  支持部材、２０  棒部、２２  フック部、２４  引掛け部、３０  載置装置、３２  載置板部、３２ａ  表面部、３２ｂ  裏面部、３４  脚部、３４ａ  第１脚部、３４ｂ  第２脚部、３５  接触部、３５ａ  リング、３５ｂ  ナスカン、３６  支持部、３６ａ  凹部、３６ｂ  位置調整部、３７，３８  ストッパー部、４０  棒部、４２  フック部、４２ａ  凹部、４２ｂ  支持部材、４２ｃ  第１湾曲部、４２ｄ  第２湾曲部、４４  引掛け部、４６  回避部、５０  載置装置、５２  載置板部、５４  脚部、５６  支持部、５６ａ  凹部、５６ｂ  位置調整部、５８  ストッパー部、６０  引掛け部、６０ａ  Ｕ字部、６０ｂ  Ｉ字部、６２  フック部、６２ａ  凹部、６２ｂ  支持部材、６２ｃ  凸部。
【要約】      （修正有）【課題】配置スペースを増やすことを可能とする後付け載置装置を提供する。【解決手段】後付け載置装置３０は、物体を載置可能な表面部を有する載置板部３２と、使用時に載置板部３２の壁部側の端部から所定の間隔をあけて壁部に接触可能な２つの接触部を有する脚部３４と、展開時に脚部３４が三角形状を形成するように脚部３４を支持する支持部３６と、壁部に対して引掛け可能な２つの引掛け部４４と、を備え、脚部３４は、２つの接触部３５が両端部に設けられ、略Ｕ字形状を有する第１脚部３４ａと、第１脚部３４ａの各端部と載置板部３２の裏面部３２ｂとの間に夫々跨って設けられるチェーン状の鎖部を有する２つの第２脚部３４ｂと、を有する。【選択図】図５【図１】
0006884953.tif 000002
【図２】
0006884953.tif 000003
【図３】
0006884953.tif 000004
【図４】
0006884953.tif 000005
【図５】
0006884953.tif 000006
【図６】
0006884953.tif 000007
【図７】
0006884953.tif 000008
【図８】
0006884953.tif 000009
【図９】
0006884953.tif 000010